(57)【要約】【課題】トリム本体の表面に装飾シートを圧着して装飾シートの周縁端末を木目込み処理する装飾シートの圧着装置において、装飾シートの端末部の浮き、剥がれ等の不良をなくすとともに、端末処理を簡単かつ廉価に実施する。【解決手段】トリム本体２１の表面に装飾シート４０を圧着して木目込み処理する圧着装置５０は、トリム本体２１をセットする圧着用上型６０と、装飾シート４０をセットする圧着用下型７０とからなり、装飾シート４０を位置決めするための位置決めバー８０の上端８０ａに内側を上方に向けて湾曲したガイド用治具８２を取り付けて、装飾シート４０の周縁端末４１を木目込み処理する。従って、このガイド用治具８２により粘着剤４２がトリム本体２１側に付着することがなく、円滑に装飾シート４０の周縁端末４１をガイド処理することができるとともに、装飾シート４０端末部の浮き、剥がれを防止できる一方、従来の界面活性剤ｂを廃止できる。【選択図】図４
2007038561.tif 000002
【特許請求の範囲】
【請求項１】
トリム本体（２１）の表面所定位置に装飾シート（４０）を圧着固定するとともに、装飾シート（４０）の周縁端末（４１）をトリム本体（２１）の木目込み溝（２２）内に圧入処理する装飾シート（４０）の圧着装置（５０）であって、この圧着装置（５０）は、トリム本体（２１）をセットする圧着用上型（６０）と、装飾シート（４０）をセットする圧着用下型（７０）とから構成され、圧着用下型（７０）の外周には、装飾シート（４０）の周縁端末（４１）を圧入処理するための木目込みバー（７５）が配設されているとともに、この木目込みバー（７５）の外周に沿って装飾シート（４０）を適正位置に位置決めする位置決めバー（８０）が周設され、この位置決めバー（８０）の上端（８０ａ）には、先端がトリム本体（２０）の木目込み溝（２２）内に入り込むように湾曲状に形成されたガイド用治具（８２）が取り付けられていることを特徴とする装飾シートの圧着装置。
【請求項２】
前記位置決めバー（８０）に取り付けられるガイド用治具（８２）のトリム本体（２１）対向側には、緩衝テープ（８５）が貼付され、かつガイド用治具（８２）の装飾シート（４０）対向側には、シリコーン塗膜（８４）がコーティング処理されていることを特徴とする請求項１に記載の装飾シートの圧着装置。
【発明の詳細な説明】
【技術分野】
【０００１】
この発明は、トリム本体の所定箇所に装飾シートを圧着固定するとともに、装飾シートの周縁端末を木目込み処理する際に使用する装飾シートの圧着装置に係り、特に、装飾シートの端末部分に浮き、剥がれ等の不良が生じることがなく、外観見栄えを向上させるとともに、端末処理に費やす加工コストが低減できる装飾シートの圧着装置に関する。
【背景技術】
【０００２】
例えば、自動車室内に内装されるドアトリム等の自動車用内装部品においては、居住性、快適性を高めるために、ドアトリム自体の材質をグレードアップさせるか、あるいは、ドアトリム本体の表面所定位置にクロス等の装飾シートを装着する方法が試みられている。図９は従来の自動車用ドアトリム１の構成を示すもので、ドアトリムアッパー１ａとドアトリムロア１ｂとの上下２分割体から構成されている。そして、ドアトリムアッパー１ａは、所望の曲面形状に成形されたトリム本体２の表面所定位置に装飾シート３を装着して構成されている。このトリム本体２としては、例えば、ＰＰ（ポリプロピレン）系樹脂、ＰＥ（ポリエチレン）系樹脂、ＡＢＳ（アクリロニトリル／ブタジエン／スチレン）樹脂等の汎用の合成樹脂を射出成形、あるいはモールドプレス成形することにより、所望の曲面形状に成形されており、所望ならば、合成樹脂成形体の表面に樹脂シート等の表皮を一体貼着することもできる。
【０００３】
そして、装飾シート３は、クロス等の布地シートが表面風合い、手触り感が良好で、高級感を強調できるため好ましいが、特に、装飾シート３の端末処理を美麗に行なうために、トリム本体２には、装飾シート３の周縁端末に沿って木目込み溝２ａが凹溝状に形成され、装飾シート３の周縁端末３ａをこの木目込み溝２ａ内に木目込み処理することで、外観見栄えを高めている。
【０００４】
通常、トリム本体２の表面に装飾シート３を圧着するには、図１０に示す圧着装置４を使用している。この圧着装置４は、圧着用上型５と、圧着用下型６とから大略構成され、圧着用上型５は、昇降シリンダ５ａの駆動により、所定ストローク上下動可能である。一方、圧着用下型６の外周に沿って木目込みバー７、更に、その外周に位置決めバー８が周設されている。木目込みバー７は、装飾シート３の周縁端末３ａをドアトリム本体２の木目込み溝２ａ内に圧入操作するためのものであり、位置決めバー８は、圧着用下型６の型面にセットする装飾シート３を適正位置に位置決めするという機能を備えている。
【０００５】
更に、圧着装置は、装飾シート３をトリム本体２の表面所定位置に圧着した後、装飾シート３の周縁端末３ａをトリム本体２の木目込み溝２ａに木目込み処理するために、圧着用上型５は昇降シリンダ５ａの駆動により２段階に亘りプレスが行なわれ、それに追随するように、圧着用下型６の下面には、ベース９と圧着用下型６との間にスプリング６ａ、ガイドピン６ｂが設けられており、位置決めバー８についてもベース９との間にスプリング８ａが介装されている。
【０００６】
次いで、トリム本体２に装飾シート３を圧着加工する従来工法を簡単に説明すると、まず、圧着用上型５にトリム本体２をセットするとともに、圧着用下型６の型面に装飾シート３をセットする。この時、装飾シート３は、位置決めバー８を目安として簡単かつ迅速にセットできる。そして、第１段のプレス駆動により、圧着用上型５が所定ストローク下降して、トリム本体２の表面に装飾シート３が圧着される。この時、前もって装飾シート３の裏面には全体に亘り粘着剤ａが塗布されている。
【０００７】
その後、更に圧着用上型５が下降して、それと同調して圧着用下型６がスプリング６ａのバネ圧に抗して下降する。また、木目込みバー７は固定式であるため、相対的に木目込みバー７が上昇する形となり、木目込みバー７の先端７ａにより、装飾シート３の周縁端末３ａがトリム本体２の木目込み溝２ａ内に圧入処理される。しかしながら、装飾シート３の木目込み作業時において、装飾シート３の裏面に塗布されている粘着剤ａが木目込み溝２ａの外側内壁面に付着し易く、木目込み溝２ａ内に装飾シート３の端末３ａが円滑に圧入処理されないという欠点が指摘されている。この対策として、従来では図１０中拡大して示すように、トリム本体２の木目込み溝２ａの外側内壁面付近に予め界面活性剤ｂが塗布されているのが実情である。尚、装飾シート３の圧着加工方法の従来例については、特許文献１に詳細に記載されている。
【０００８】
【特許文献１】特開平６−２１８８２２号公報
【発明の開示】
【発明が解決しようとする課題】
【０００９】
このように、装飾シート３をトリム本体２に圧着加工する従来の圧着装置４及び圧着加工方法においては、トリム本体２の木目込み溝２ａ内に円滑に装飾シート３の周縁端末３ａを圧入処理するために、特に、木目込み溝２ａの外側内壁面付近に界面活性剤ｂを塗布する必要があることから、この界面活性剤ｂを塗布する工程が必要であり、工数の長期化を招き、生産性を低下させるという問題点が指摘されている。
【００１０】
更に、界面活性剤ｂが必要以上に木目込み溝２ａ内に侵入した場合、粘着剤ａの粘着性能を低下させるため、装飾シート３の周縁端末３ａの浮き、剥がれ等の不具合が発生し易く、装飾シート３の周縁端末における外観見栄えの低下を招くという不具合も同時に指摘されている。
【００１１】
この発明は、このような事情に鑑みてなされたもので、トリム本体の表面所定箇所に装飾シートを圧着するとともに、装飾シートの周縁端末を木目込み処理できる装飾シートの圧着装置であって、従来の界面活性剤を廃止しても、装飾シートの周縁端末を木目込み溝内に確実、かつ迅速に収容固定することができ、浮き、剥がれ等が生じることがなく、外観見栄えを高めることができる装飾シートの圧着装置を提供することを目的としている。
【課題を解決するための手段】
【００１２】
上記目的を達成するために、本発明は、トリム本体の表面所定位置に装飾シートを圧着固定するとともに、装飾シートの周縁端末をトリム本体の木目込み溝内に圧入処理する装飾シートの圧着装置であって、この圧着装置は、トリム本体をセットする圧着用上型と、装飾シートをセットする圧着用下型とから構成され、圧着用下型の外周には、装飾シートの周縁端末を圧入処理するための木目込みバーが配設されているとともに、この木目込みバーの外周に沿って装飾シートを適正位置に位置決めする位置決めバーが周設され、この位置決めバーの上端には、先端がトリム本体の木目込み溝内に入り込むように湾曲状に形成されたガイド用治具が取り付けられていることを特徴とする。
【００１３】
ここで、本発明係る圧着装置を使用する加工対象としては、ドアトリム、リヤサイドトリム、ラゲージトリムやトランクトリム、リヤパーセルシェルフ等、自動車用内装部品全般に亘り、特に、トリム本体の表面に装飾シートを圧着加工し、装飾シートの周縁端末をトリム本体の木目込み溝内に圧入処理するタイプの内装部品全般に適用できる。
【００１４】
圧着装置における圧着用上型は、昇降用シリンダの駆動により、２段階のプレス位置、すなわち圧着位置と木目込み位置の双方の位置での正確な位置決めが可能となるようなストローク調整がなされている。一方、圧着用下型については、圧着用上型の２段階のプレスストロークに追従できるように、下側テーブルに対してスプリングを介して上下動自在に支持されているとともに、圧着用下型の外周に沿って木目込みバーが固定され、更にその外周に沿って位置決めバーが周設されている。この位置決めバーは、下側テーブルにスプリングを介して取り付けられている。この位置決めバーは、圧着用下型の型面に装飾シートをセットする際、装飾シートを適切に位置決めするためのもので、圧着用上型の下降動作に干渉することがないように、圧着用上型の下降に同調して下方向に移動する。
【００１５】
そして、本発明に係る圧着装置においては、この位置決めバーの上端にカール状に折曲形成してなるガイド用治具が取り付けられている。すなわち、このガイド用治具の先端のカール部は、圧着用上型が下降動作する際、圧着用上型にセットされたトリム本体の木目込み溝内の特に外側内壁面を被覆できるような形状設定がなされている。
【００１６】
従って、トリム本体の表面に装飾シートを圧着し、装飾シートの周縁端末をトリム本体の木目込み溝内に圧入する際は、位置決めバーの上端に取り付けられたガイド用治具に沿って装飾シートの周縁端末は木目込み溝内にスムーズにガイドされるため、精度の良い木目込み処理が可能となる。更に、界面活性剤を塗布する必要がないため、シリコーンオイル等の界面活性剤等の材料を節約できるとともに、塗布工程を廃止でき、生産性を向上させることができる。また、界面活性剤により粘着剤の粘着性が低下することがなく、装飾シートの周縁端末に浮き、剥がれ等の不具合が生じることがない。
【００１７】
更に、本発明方法の好ましい実施の形態においては、前記位置決めバーに取り付けられるガイド用治具のトリム本体対向側には、緩衝テープが貼付され、かつガイド用治具の装飾シート対向側には、シリコーン塗膜がコーティング処理されていることを特徴とする。そして、この実施の形態によれば、ガイド用治具の装飾シート対向側には、シリコーン塗膜により、装飾シートの周縁端末が木目込み溝内に円滑にガイドされるとともに、ガイド用治具の裏面側（トリム本体対向側）に不織布テープ等の緩衝テープが貼付されていれば、圧着用上型の下降時にトリム本体の表面とガイド用治具とが頻繁にぶつかっても、トリム本体側は傷付くことがない。
【発明の効果】
【００１８】
以上説明した通り、本発明に係る装飾シートの圧着装置は、圧着用下型の外周に設けられる木目込みバーの外周に位置決めバーが周設され、更にこの位置決めバーの上端に先端を湾曲させてトリム本体の木目込み溝内に入り込む形状に設定したガイド用治具を取り付けるという構成を採用したため、圧着用上型を２段階でプレス操作して、圧着用上型にセットしたトリム本体に対して圧着用下型にセットした装飾シートを圧着し、その後、トリム本体の木目込み溝内に装飾シートの周縁端末を木目込み処理する際、装飾シートの周縁端末は、ガイド用治具のガイド面に沿って円滑に木目込み溝内に案内されて収容固定されるため、精度の良い加工が可能となり、生産性を高めることができるという効果を有する。
【００１９】
更に、本発明に係る装飾シートの圧着装置は、界面活性剤を木目込み溝の外側内壁面に塗布するという工程を廃止できるため、材料費を低減するとともに、加工工数も低減できる等、大幅なコストダウンを図ることができる。加えて、界面活性剤により接着剤の粘着性が低下するという不具合がないため、装飾シートの周縁端末に浮き、剥がれ等が生じることがなく、外観見栄えを長期に亘り良好に維持できるという効果を有する。
【発明を実施するための最良の形態】
【００２０】
以下、本発明に係る装飾シートの圧着装置の実施例について、添付図面を参照しながら詳細に説明する。尚、念のため付言すれば、本発明の要旨は特許請求の範囲に記載した通りであり、以下に説明する実施例の内容は、本発明の一例を示すものに過ぎない。
【実施例】
【００２１】
図１乃至図８は本発明の一実施例を示すもので、図１は本発明装置を使用して製作した自動車用ドアトリムを示す正面図、図２は同自動車用ドアトリムの構成を示す断面図、図３，図４は本発明に係る装飾シートの圧着装置の構成を示すもので、図３は全体構成を示す説明図、図４は同圧着装置における圧着用下型の要部を示す拡大断面図、図５乃至図８は同圧着装置を使用してドアトリム本体に装飾シートを圧着加工する工程を示す説明図である。
【００２２】
図１，図２において、自動車用ドアトリム１０は、ドアトリムアッパー２０とドアトリムロア３０との上下２分割体から構成されている。上記ドアトリムアッパー２０は、所望の曲面形状に成形されたトリム本体２１の中接部に装飾シート４０を装着して構成されている。更に詳しくは、トリム本体２１は、ドアパネルへの取付剛性並びに適度の保形性を備えた樹脂芯材２１ａの表面に意匠性並びに手触り感を向上させるために表皮２１ｂが貼付されており、この実施例では、樹脂芯材２１ａとしては、ＰＰ（ポリプロピレン）樹脂（所望ならばタルク等を混入したＰＰ（ポリプロピレン）複合樹脂でも良い）をスタンピングモールド工法により所要形状に成形して構成されており、この樹脂芯材２１ａの表面に貼付される表皮２１ｂは、ＴＰＯ（サーモプラスチックオレフィン）シート、塩ビシート等の合成樹脂シートの単一シート材料でも良く、また、これら合成樹脂シート等の単一シートの裏面にポリプロピレンフォーム、ポリエチレンフォーム等の発泡層を裏打ちした積層シート材料を使用することもできる。また、表皮２１ｂを省略して、樹脂芯材２１ａのみでトリム本体２１を構成することもできる。更に、トリム本体２１には、乗員が肘を掛けて休めるようにほぼ中央部に室内側に膨出するアームレスト１１が設定されており、アームレスト１１の上面には、パワーウインドウスイッチ等のスイッチ群１１ａ、及びドア開閉時に使用するプルハンドル１１ｂが設けられている。また、アームレスト１１の下方には、備品を収容できるドアポケット１２が設定され、そのフロント側にはドアトリムロア３０と一体、あるいは別体にスピーカグリル１３が取り付けられている。尚、図２中符号１４はドアパネルを示す。
【００２３】
そして、装飾シート４０が装着される中接部は、アームレスト１１の上方に位置し、この中接部には、装飾シート４０の外形状にほぼ合致するように木目込み溝２２が周設されており、この木目込み溝２２内に装飾シート４０の周縁端末４１が圧入処理され、装飾シート４０の周縁部分の外観見栄えを高める構成となっている。この装飾シート４０としては、ベルベット、ジャージイ、トリコット、モケット等、任意仕様のクロス、あるいは合皮が適用されるが、本実施例ではトリコットクロスが使用されている。また、この実施例では装飾シート４０の裏面に貼り合わされたフィルム状の粘着剤４２を介してトリム本体２１の中接部に装飾シート４０が圧着される。
【００２４】
次いで、図３，図４は本発明に係る圧着装置５０の構成を示すもので、上述したトリム本体２１に装飾シート４０を圧着加工する際に使用する。図３において、圧着装置５０の概略構成を簡単に説明する。この圧着装置５０は、圧着用上型６０と圧着用下型７０とから構成されており、圧着用上型６０は、昇降用シリンダ６１の駆動により所定ストローク上下動作を行なうが、更に詳細には、この昇降用シリンダ６１の動作により、上側テーブル６２が上下動作を行ない、この上側テーブル６２に取り付けられている上型取付板６３に圧着用上型６０が取り付けられており、この上型取付板６３には、ガイドポスト６４が４隅部分に設けられている。そして、この昇降用シリンダ６１の動作により、上側テーブル６２が上下動作を行ない、この上側テーブル６２に取り付けられている上型取付板６３、圧着用上型６０が上下駆動される。
【００２５】
この圧着用上型６０の下方には、圧着用下型７０が設けられており、この圧着用下型７０には、下側テーブル７１の上面に下型取付板７２が設置されており、この下型取付板７２と圧着用下型７０との間にスプリング７３、リニアブッシュ７４を介して圧着用下型７０が下型取付板７２に対して上下動可能に支持されている。また、この圧着用下型７０の外周に沿って木目込みバー７５が下型取付板７２に直接固定されており、更にその外周に沿って装飾シート４０の位置決めを行なうための位置決めバー８０がスプリング８１を介してこれも上下動可能に支持されている。
【００２６】
そして、本発明に係る圧着装置５０は、この位置決めバー８０の上端８０ａの構成に特徴がある。すなわち、図４に示すように、位置決めバー８０の上端８０ａには、ガイド用治具８２が取り付けられている。このガイド用治具８２には、その先端縁が上方に向けて湾曲状にカールしたカール部８３が設けられており、好ましくは、ガイド用治具８２の下面には、シリコーン塗膜８４をコーティング処理し、ガイド用治具８２の上面、すなわち、トリム本体２１に当接する側には、不織布テープ等の緩衝テープ８５を貼付するのが良い。
【００２７】
次いで、この圧着装置５０を使用してトリム本体２１に装飾シート４０を圧着固定する工程について説明する。図５は圧着装置５０にトリム本体２１と装飾シート４０をセットする工程を示している。すなわち、トリム本体２１を圧着用上型６０の下面にセットするとともに、圧着用下型７０の型面上に装飾シート４０を位置決めバー８０を目安にして適正位置にセットする。この時、装飾シート４０の上面（基材対向面）には、粘着剤４２が貼り合わされている。そして、トリム本体２１と装飾シート４０のセットが完了すれば、図６に示すように、昇降用シリンダ６１の駆動により、圧着用上型６０が第１段、すなわち、圧着位置まで下降して、トリム本体２１の表面に装飾シート４０が粘着剤４２を介して圧着一体化される。
【００２８】
次に、図７に示すように、昇降用シリンダ６１が更に駆動して、圧着用上型６０が木目込み位置まで下降すれば、圧着用下型７０はスプリング７３が収縮することで、圧着用上型６０と圧着用下型７０は共に下降するが、圧着用下型７０の外周に位置する木目込みバー７５は、下型取付板７２に直接固定されているため、圧着用下型７０に対して相対的に上昇することになり、図８に示すように、装飾シート４０の周縁端末４１をトリム本体２１の木目込み溝２２内に圧入処理する。この時、図示するように、装飾シート４０の周縁端末４１においても裏面側には粘着剤４２があるため、従来においてはこの粘着剤４２がトリム本体２１側に付着してスムーズな木目込み処理が行なわれないという不具合があったが、本発明に係る圧着装置５０においては、位置決めバー８０の上端８０ａにガイド用治具８２が設けられているため、このガイド用治具８２のカール部８３に沿って装飾シート４０の周縁端末４１が案内されるため、円滑な木目込み処理が可能となる。この時、上述したように、ガイド用治具８２にシリコーン塗膜８４等の界面活性剤を塗工しておけば、装飾シート４０の滑りが良くなり、装飾シート４０はトリム本体２１の木目込み溝２２内により円滑に案内されることになる。更に、ガイド用治具８２の上面には、不織布テープ等の緩衝テープ８５が貼付されているため、圧着用上型６０の下降に際して、ガイド用治具８２と圧着用上型６０が頻繁にぶつかっても緩衝テープ８５によりトリム本体２１の傷付き不良を有効に回避でき、トリム本体２１を確実に保護することができる。
【００２９】
このように、本発明に係る圧着装置５０を使用してトリム本体２１の表面に装飾シート４０を圧着加工すれば、装飾シート４０の周縁端末４１がトリム本体２１の木目込み溝２２内に確実かつ迅速に木目込み処理され、精度の良い加工が期待できるとともに、界面活性剤が廃止できるため、浮きや剥がれ等の不良が生じることがなく、長期に亘り良好な外観見栄えが期待できるとともに、界面活性剤の塗布工程が廃止でき、生産性をも高めることができる。
【産業上の利用可能性】
【００３０】
以上説明した実施例は、上下２分割構造のドアトリム１０におけるドアトリムアッパー２０のトリム本体２１の中接部分に装飾シート４０を圧着する際に使用する圧着装置５０に本発明構造を適用したが、トリム本体に装飾シートを圧着する際、木目込み構造を備えた内装部品全般に適用することができる。更に、圧着装置５０は、圧着加工後、更に圧着用上型６０を下降操作して木目込み処理を行なったが、木目込みバー７５をシリンダ駆動により上昇操作して木目込み処理を行なう構造を採用しても良い。
【図面の簡単な説明】
【００３１】
【図１】本発明に係る圧着装置を使用して製作した自動車用ドアトリムを示す正面図である。
【図２】図１中II−II線断面図である。
【図３】本発明に係る圧着装置の一実施例の全体構成を示す説明図である。
【図４】図３に示す圧着装置における位置決めバー上端のガイド用治具を示す説明図である。
【図５】図３に示す圧着装置を使用して装飾シートを圧着する圧着方法におけるドアトリム本体と装飾シートのセット工程を示す説明図である。
【図６】図３に示す圧着装置を使用して装飾シートを圧着加工する際の圧着工程を示す説明図である。
【図７】図３に示す圧着装置を使用して装飾シートを圧着加工する際の木目込み工程を示す説明図である。
【図８】図７に示す装飾シートの木目込み工程における装飾シートの周縁端末の処理形態を示す説明図である。
【図９】従来の自動車用ドアトリムの構成を示す断面図である。
【図１０】従来の装飾シートを圧着加工する際に使用する圧着装置の構成を示す概要図である。
【符号の説明】
【００３２】
１０  自動車用ドアトリム
２０  ドアトリムアッパー
２１  トリム本体
２１ａ  樹脂芯材
２１ｂ  表皮
２２  木目込み溝
３０  ドアトリムロア
４０  装飾シート
４１  周縁端末
４２  粘着剤
５０  圧着装置
６０  圧着用上型
６１  昇降用シリンダ
６２  上側テーブル
６３  上型取付板
７０  圧着用下型
７１  下側テーブル
７２  下型取付板
７３  スプリング
７４  リニアブッシュ
７５  木目込みバー
８０  位置決めバー
８１  スプリング
８２  ガイド用治具
８３  カール部
８４  シリコーン塗膜
８５  緩衝テープ
【図１】
2007038561.tif 000003
【図２】
2007038561.tif 000004
【図３】
2007038561.tif 000005
【図４】
2007038561.tif 000006
【図５】
2007038561.tif 000007
【図６】
2007038561.tif 000008
【図７】
2007038561.tif 000009
【図８】
2007038561.tif 000010
【図９】
2007038561.tif 000011
【図１０】
2007038561.tif 000012